(57)【要約】【課題】表示パネルに現れる表示欠陥を電気的に補償する平板表示装置の表示欠陥補償方法及び装置を提供する。【解決手段】表示パネルの識別情報を読み取る工程と、入力された第１情報と前記識別情報に基づいて前記表示パネルの表示欠陥形態と表示欠陥位置を指示する位置情報を生成する工程と、入力された第２情報に基づいて前記表示パネルの表示欠陥度合を補償するための補償値を生成する工程と、前記位置情報と前記補償値をメモリに記憶させる工程と、前記メモリから情報を読み取り、前記表示パネルの表示欠陥位置に表示されるデータを前記補償値分だけ変調して前記表示パネルに表示する工程と、を含む平板表示装置の表示欠陥補償方法にある。【選択図】図８
2008257186.tif 000002
【特許請求の範囲】
【請求項１】
表示パネルの識別情報を読み取る工程と、
入力された第１情報と前記識別情報に基づいて前記表示パネルの表示欠陥形態と表示欠陥位置を表す位置情報を生成する工程と、
入力された第２情報に基づいて前記表示パネルの表示欠陥度合を補償するための補償値を生成する工程と、
前記位置情報と前記補償値をメモリに記憶させる工程と、
前記メモリから情報を読み取り、前記表示パネルの表示欠陥位置に表示されるデータを前記補償値分だけ変調して前記表示パネルに表示する工程と、
を含むことを特徴とする平板表示装置の表示欠陥補償方法。
【請求項２】
前記補償値は、前記表示欠陥位置に表示されるデータの階調領域によって別々に最適化されたことを特徴とする請求項１に記載の平板表示装置の表示欠陥補償方法。
【請求項３】
前記階調領域は、
中位階調区間、該中位階調区間の階調よりも低い階調を持つ下位階調区間、及び、前記中位階調区間の階調よりも高い階調を持つ上位階調区間を含み、
前記上位階調区間の補償値は前記中位階調区間の補償値よりも高く、前記中位階調区間の補償値は前記下位階調区間の補償値よりも高いことを特徴とする請求項２に記載の平板表示装置の表示欠陥補償方法。
【請求項４】
前記表示パネルの表示欠陥位置を表す座標値を含む前記第１情報を受信する工程と、
前記表示パネルの表示欠陥度合を表す欠陥水準情報を含む前記第２情報を受信する工程と、
をさらに含むことを特徴とする請求項１に記載の平板表示装置の表示欠陥補償方法。
【請求項５】
前記座標値は、前記表示欠陥の始点と終点を表すことを特徴とする請求項４に記載の平板表示装置の表示欠陥補償方法。
【請求項６】
前記欠陥水準情報は、前記表示欠陥の度合によって異なる値を持つことを特徴とする請求項５に記載の平板表示装置の表示欠陥補償方法。
【請求項７】
前記表示欠陥の位置情報は、
前記表示欠陥の始点を基準にして定められた左側の漸進的補償領域の位置情報、前記表示欠陥の終点を基準にして定められた右側の漸進的補償領域の位置情報、及び、前記左側の漸進的補償領域と前記右側の漸進的補償領域との間に位置する中央補償領域の位置情報を含むことを特徴とする請求項６に記載の平板表示装置の表示欠陥補償方法。
【請求項８】
前記左側の漸進的補償領域の位置情報は、
前記左側の漸進的補償領域で前記表示欠陥の始点を基準に右側に配置された区間を表す位置情報と、前記左側の漸進的補償領域で前記表示欠陥の始点を基準に左側に配置された区間を表す位置情報とを含むことを特徴とする請求項７に記載の平板表示装置の表示欠陥補償方法。
【請求項９】
前記右側の漸進的補償領域の位置情報は、
前記右側の漸進的補償領域で前記表示欠陥の終点を基準に右側に配置された区間を表す位置情報と、前記右側の漸進的補償領域で前記表示欠陥の終点を基準に左側に配置された区間を表す位置情報とを含むことを特徴とする請求項７に記載の平板表示装置の表示欠陥補償方法。
【請求項１０】
前記中央補償領域の補償値は、前記欠陥水準情報によって前記表示欠陥内で最も高い値に決定され、前記漸進的補償領域の補償値は、前記中央補償領域の補償値と０との間の値に決定され、
前記漸進的補償領域は、前記補償値がそれぞれ与えられる複数の区間に仮想分割され、これらの区間において補償値が次第に変わることを特徴とする請求項８または９に記載の平板表示装置の表示欠陥補償方法。
【請求項１１】
表示パネルと、
前記表示パネルの識別情報を読み取り、入力された第１情報と前記識別情報に基づいて前記表示パネルの表示欠陥形態と表示欠陥位置を表す位置情報を生成するとともに、入力された第２情報に基づいて前記表示パネルの表示欠陥度合を補償するための補償値を生成するプログラム実行器と、
前記生成された位置情報と補償値を記憶するメモリと、
前記メモリから情報を読み取り、前記表示パネルの表示欠陥位置に表示されるデータを前記補償値分だけ変調する補償部と、
前記補償値により調整されたデータを前記表示パネルに表示する駆動部と、
を備えることを特徴とする平板表示装置の表示欠陥補償装置。
【請求項１２】
前記補償値は、前記表示欠陥位置に表示されるデータの階調領域によって別々に最適化されたことを特徴とする請求項１１に記載の平板表示装置の表示欠陥補償装置。
【請求項１３】
前記階調領域は、
中位階調区間、該中位階調区間の階調よりも低い階調を持つ下位階調区間、及び、前記中位階調区間の階調よりも高い階調を持つ上位階調区間を含み、
前記上位階調区間の補償値は前記中位階調区間の補償値よりも高く、前記中位階調区間の補償値は前記下位階調区間の補償値よりも高いことを特徴とする請求項１２に記載の平板表示装置の表示欠陥補償装置。
【請求項１４】
前記表示パネルの表示欠陥位置を表す座標値を含む前記第１情報と、前記表示パネルの表示欠陥度合を表す欠陥水準情報を含む前記第２情報とを入力するための入力装置をさらに備えることを特徴とする請求項１１に記載の平板表示装置の表示欠陥補償装置。
【請求項１５】
前記座標値は、前記表示欠陥の始点と終点を表すことを特徴とする請求項１４に記載の平板表示装置の表示欠陥補償装置。
【請求項１６】
前記欠陥水準情報は、前記表示欠陥の度合によって異なる値を持つことを特徴とする請求項１５に記載の平板表示装置の表示欠陥補償装置。
【請求項１７】
前記表示欠陥の位置情報は、
前記表示欠陥の始点を基準に定められた左側の漸進的補償領域の位置情報、前記表示欠陥の終点を基準に定められた右側の漸進的補償領域の位置情報、及び、前記左側の漸進的補償領域と前記右側の漸進的補償領域との間に位置する中央補償領域の位置情報を含むことを特徴とする請求項１６に記載の平板表示装置の表示欠陥補償装置。
【請求項１８】
前記左側の漸進的補償領域の位置情報は、
前記左側の漸進的補償領域で前記表示欠陥の始点を基準に右側に配置された区間を表す位置情報と、前記左側の漸進的補償領域で前記表示欠陥の始点を基準に左側に配置された区間を表す位置情報とを含むことを特徴とする請求項７に記載の平板表示装置の表示欠陥補償装置。
【請求項１９】
前記右側の漸進的補償領域の位置情報は、
前記右側の漸進的補償領域で前記表示欠陥の終点を基準に右側に配置された区間を表す位置情報と、前記右側の漸進的補償領域で前記表示欠陥の終点を基準に左側に配置された区間を表す位置情報とを含むことを特徴とする請求項７に記載の平板表示装置の表示欠陥補償装置。
【請求項２０】
前記中央補償領域の補償値は、前記欠陥水準情報によって前記表示欠陥内で最も高い値に決定され、前記漸進的補償領域の補償値は、前記中央補償領域の補償値と０との間の値に決定され、
前記漸進的補償領域は、前記補償値がそれぞれ与えられる複数の区間に仮想分割され、これらの区間において前記補償値が次第に変わることを特徴とする請求項１８または１９に記載の平板表示装置の表示欠陥補償装置。
【発明の詳細な説明】
【技術分野】
【０００１】
本発明は、平板表示装置に係り、特に、表示パネルに現れる表示欠陥を電気的に補償することができる平板表示装置の表示欠陥補償方法及び装置に関する。
【背景技術】
【０００２】
平板表示装置には、液晶表示素子(Liquid Crystal Display:LCD)、電界放出表示素子(Field Emission Display:FED)、プラズマディスプレイパネル(Plasma Display Panel:PDP)及び有機発光ダイオード表示素子(Organic Light Emitting Diode Display:OLED)などがあり、これらの大部分が実用化されて市販されている。
【０００３】
液晶表示素子は、電子製品の軽薄短小化に対応でき且つ量産性が向上しつつある点から、多くの応用分野において速い速度で陰極線管に取って代わっている。
【０００４】
特に、薄膜トランジスタ(Thin Film Transistor：以下、“ＴＦＴ”という)を用いて液晶セルを駆動するアクティブマトリクスタイプの液晶表示素子は、優れた画質と低い消費電力という長所の他に、最近の量産技術の確保と研究開発の成果によって急速な大型化と高解像度化を遂げてきた。
【０００５】
かかる平板表示装置の大部分は、画素アレイの微細な信号配線や電極をパターニングするための製造工程にフォトリソグラフィ工程が用いられている。フォトリソグラフィ工程は、露光、現像、エッチング工程を含む。
【０００６】
フォトリソグラフィ工程における露光量のばらつきなどによって、完成した表示パネルを検査する工程において正常表示面とは輝度及び色感が異なる表示欠陥(表示むら)が見出されることがある。このような表示欠陥は、フォトリソグラフィ工程で露光量のばらつきによってＴＦＴのゲート−ドレイン間の重畳面積、スペーサの高さ、信号配線間の寄生容量、信号配線と画素電極間の寄生容量などが正常表示面と異なってくることに起因する。
【０００７】
図１及び図２はそれぞれ、表示欠陥の一つである縦線欠陥及び横線欠陥が現れる場合を示す図である。
【０００８】
図１及び図２に示すように、大型の母基板(Mother substrate)１枚に複数のピクセルアレイＡ１〜Ａ１８またはＢ１〜Ｂ６を同時に形成する工程で用いられる露光装備は、複数のレンズ１０が２列に配列され、これらのレンズ１０が所定の幅ＧＷだけ重なるマルチレンズを備えている。ピクセルアレイＡ１〜Ａ１８，Ｂ１〜Ｂ６のそれぞれは、複数のデータラインと複数のゲートラインとが直交し、これらの交差部にＴＦＴが形成され、画素電極がマトリクス形態に配置される。また、ピクセルアレイＡ１〜Ａ１８，Ｂ１〜Ｂ６のそれぞれは、セルギャップ(Cell gap)を保持するためのコラムスペーサ(Column spacer)が形成されても良い。これらのピクセルアレイＡ１〜Ａ１８，Ｂ１〜Ｂ６は、スクライビング工程によって分離される。図１で、矢印とその番号は、レンズ１０のスキャン方向とスキャン順序をそれぞれ示す。すなわち、露光装備のマルチレンズは、右から左に○１、左から右に○２、上に移動したのち右から左に○３、左から右に○４、再び上に移動したのち右から左に○５、左から右に○６移動しながらピクセルアレイＡ１〜Ａ１８，Ｂ１〜Ｂ６を順に露光する。
【０００９】
露光装備のレンズ１０のそれぞれは収差を持っており、この収差はレンズごとに異なる。このため、母基板１２上に塗布されたフォトレジストの受光量と光分布がレンズ位置と重畳位置ごとに異なってくる。レンズ１０のそれぞれの位置とレンズ１０間の重畳幅ＧＷごとに異なって現れるフォトレジストの露光量によって、現像工程後のフォトレジストパターンがレンズ１０のそれぞれの位置とレンズ１０間の重畳位置別に異なってくる。その結果、ＴＦＴのゲート−ドレイン間の重畳面積が各ピクセルアレイＡ１〜Ａ１８，Ｂ１〜Ｂ６の表示面で部分的に異なるから、表示面によって画素電圧が異なり、各ピクセルアレイＡ１〜Ａ１８でコラムスペーサの高さが表示面によって異なり、セルギャップ(Cell gap)が部分的に異なってくる。ピクセルアレイＡ１〜Ａ１８，Ｂ１〜Ｂ６のスクライビングによって全ての製造工程が完了し、完成した平板表示パネルの全ピクセルに同じデータを印加すると、縦線形態または横線形態の表示むらが現れる。この表示むらは、露光装備のマルチレンズが移動する方向に沿って長く現れ、縦線と横線は、母基板１２に配置された画素アレイＡ１〜Ａ１８，Ｂ１〜Ｂ６の方向やマルチレンズ１０の移動方向によって異なってくる。例えば、図１に示すように、小型の画素アレイＡ１〜Ａ１８が１枚の母基板１２に縦に立てられた形態で１８個が配置された場合には、画素アレイＡ１〜Ａ１８の縦方向に長い縦線が現れる。また、図２に示すように、中／大型の画素アレイＢ１〜Ｂ６が１枚の母基板１２に横たわった形態で６個が配置された場合には、画素アレイＢ１〜Ｂ６の横方向に長い横線が現れる。
【００１０】
この表示欠陥は、縦線形態または横線形態に露光装備のマルチレンズが移動する方向に沿って長く現れ、縦線と横線は、母基板に配置された画素アレイの方向やマルチレンズの移動方向によって異なって現れる。
【００１１】
縦線または横線形態の表示むらを改善するために、従来、フォトマスクの精度を検査してそのマスクを改善したり、マルチレンズの配列を調整する等の方法を適用してきたが、これらの方法では縦線または横線の発生を防ぐことができなかった。そこで、本願出願人は、大韓民国特許出願第１０−２００６−００５９３００号で表示欠陥領域に表示されるデータを選別し、これらのデータを変調することによって表示欠陥領域の輝度を補償する方法を提案したことがある。
【発明の開示】
【発明が解決しようとする課題】
【００１２】
しかしながら、縦線欠陥と横線欠陥は全く異なる輝度分布によって現れる欠陥であるため、一方の欠陥形態に対する補償方法では他方の欠陥形態に対しては輝度を補償し難いという問題点があった。
【００１３】
本発明は上記の問題点を解決するためのもので、その目的は、パネル識別情報と表示欠陥情報を用いてそれぞれの表示欠陥特徴による補償データを自動で生成し、これを用いて表示欠陥を電気的に補償するようにした平板表示装置の表示欠陥補償方法及び装置を提供することにある。
【課題を解決するための手段】
【００１４】
上記の目的を達成する本発明に係る平板表示装置の表示欠陥補償方法は、表示パネルの識別情報を読み取る工程と、入力された第１情報と前記識別情報に基づいて前記表示パネルの表示欠陥形態と表示欠陥位置を表す位置情報を生成する工程と、入力された第２情報に基づいて前記表示パネルの表示欠陥度合を補償するための補償値を生成する工程と、前記位置情報と前記補償値をメモリに記憶させる工程と、前記メモリから情報を読み取り、前記表示パネルの表示欠陥位置に表示されるデータを前記補償値分だけ変調して前記表示パネルに表示する工程と、を含む構成とした。
【００１５】
前記補償値は、前記表示欠陥位置に表示されるデータの階調領域によって別々に最適化されることができる。
【００１６】
前記階調領域は、中位階調区間、該中位階調区間の階調よりも低い階調を持つ下位階調区間、及び、前記中位階調区間の階調よりも高い階調を持つ上位階調区間を含み、前記上位階調区間の補償値は前記中位階調区間の補償値よりも高く、前記中位階調区間の補償値は前記下位階調区間の補償値よりも高いことを特徴とする。
【００１７】
本発明に係る平板表示装置の表示欠陥補償方法は、前記表示パネルの表示欠陥位置を表す座標値を含む前記第１情報を受信する工程と、前記表示パネルの表示欠陥度合を表す欠陥水準情報を含む前記第２情報を受信する工程と、をさらに含むことができる。
【００１８】
前記座標値は、前記表示欠陥の始点と終点を表すことができる。
【００１９】
前記欠陥水準情報は、前記表示欠陥の度合によって異なる値を持つことができる。
【００２０】
前記表示欠陥の位置情報は、前記表示欠陥の始点を基準にして定められた左側の漸進的補償領域の位置情報、前記表示欠陥の終点を基準にして定められた右側の漸進的補償領域の位置情報、及び、前記左側の漸進的補償領域と前記右側の漸進的補償領域との間に位置する中央補償領域の位置情報を含むことができる。
【００２１】
前記左側の漸進的補償領域の位置情報は、前記左側の漸進的補償領域で前記表示欠陥の始点を基準に右側に配置された区間を表す位置情報と、前記左側の漸進的補償領域で前記表示欠陥の始点を基準に左側に配置された区間を表す位置情報とを含むことができる。
【００２２】
前記右側の漸進的補償領域の位置情報は、前記右側の漸進的補償領域で前記表示欠陥の終点を基準に右側に配置された区間を表す位置情報と、前記右側の漸進的補償領域で前記表示欠陥の終点を基準に左側に配置された区間を表す位置情報とを含むことができる。
【００２３】
前記中央補償領域の補償値は、前記欠陥水準情報によって前記表示欠陥内で最も高い値に決定され、前記漸進的補償領域の補償値は、前記中央補償領域の補償値と０との間の値に決定され、前記漸進的補償領域は、前記補償値がそれぞれ与えられる複数の区間に仮想分割され、これらの区間において補償値が次第に変わることができる。
【００２４】
上記の目的を達成する本発明に係る平板表示装置の表示欠陥補償装置は、表示パネルと、前記表示パネルの識別情報を読み取り、入力された第１情報と前記識別情報に基づいて前記表示パネルの表示欠陥形態と表示欠陥位置を表す位置情報を生成するとともに、入力された第２情報に基づいて前記表示パネルの表示欠陥度合を補償するための補償値を生成するプログラム実行器と、前記生成された位置情報と補償値を記憶するメモリと、前記メモリから情報を読み取り、前記表示パネルの表示欠陥位置に表示されるデータを前記補償値分だけ変調する補償部と、前記補償値により調整されたデータを前記表示パネルに表示する駆動部と、を備える構成とした。
【発明の効果】
【００２５】
本発明による平板表示装置の表示欠陥補償方法及び装置によれば、工程誤差により現れる表示欠陥に表示されるデジタルビデオデータのそれぞれに対して補償値を加減して表示欠陥を電気的に補償するため、工程的な手法だけでは解決不可能な表示欠陥の画質不良を良品基準レベル以上に向上させることができる。
また、パネル識別情報と表示欠陥情報を用いて補償プログラムを実行させ、それぞれの表示欠陥特徴による補償データを自動で生成し、これを用いて表示欠陥を電気的に補償するため、画質を向上させることが可能になる。
【発明を実施するための最良の形態】
【００２６】
以下、図３乃至図１２を参照しつつ、液晶表示装置を中心にして本発明の好適な一実施の形態について説明する。
【００２７】
パネル製造工程上の工程不良によって発生する表示欠陥は、発生原因別に類似な表示むらの形態や発生位置を示す。例えば、ステッチ(Stitch)むらは、レンズの重畳部に境界がシャープ(Sharp)な縦線の形態で現れ、レンズむらは、レンズモジュールマップによってレンズの重畳部に境界がスムーズ(Smooth)な縦線または横線の形態で現れる。このように同じ原因に起因する表示欠陥は共通した発生パターンを有してはいるものの、表示パネル上の各むらを一つずつ調べると、その形態、位置、水準などで少しずつ違いがある。このように多様に現れる表示パネルの欠陥を補償するためには、表示パネルごとにむらの特性に合う補償データを生成して適用する必要がある。
【００２８】
図３は、２０．１インチワイドモデルで現れるレンズ線むらを示す図である。
【００２９】
図３を参照すると、レンズアセンブリ１０のレンズＬ１〜Ｌ７のうち、両側端に位置した第１レンズＬ１と第７レンズＬ７によっては、表示パネル１１の基板に形成されたフォトレジストが露光されない。基板に形成されたフォトレジストは、第３乃至第５レンズＬ３〜Ｌ５により露光され、また、第２レンズＬ２の半分と第６レンズＬ６の半分により露光される。
【００３０】
このようなレンズアセンブリ１０と表示パネル１１の相関関係において、線欠陥が発生し得る表示パネル１１の位置は、第５レンズＬ５と第６レンズＬ６とが重なる第１重畳部分Ｂ１、第４レンズＬ４と第５レンズＬ５とが重なる第２重畳部分Ｂ２、第３レンズＬ３と第４レンズＬ４とが重なる第３重畳部分Ｂ３、第２レンズＬ２と第３レンズＬ３とが重なる第４重畳部分Ｂ４である。
【００３１】
このように線欠陥が発生し得る位置で補償値が与えられる基準位置は、第１重畳部分Ｂ１のＰ１及びＰ２、第２重畳部分Ｂ２のＰ３及びＰ４、第３重畳部分Ｂ３のＰ５及びＰ６、第４重畳部分Ｂ４のＰ７及びＰ８である。このような線欠陥と隣り合う正常表示面は輝度が互いに重なる。したがって、線欠陥の輝度パターンは、図４及び図５に示すように、中央補償領域Ｃ１で最も低く、外側に行くほど輝度が漸次高くなる。線欠陥の輝度を補償するために線欠陥に与えられる補償値は、中央補償領域Ｃ１で最も高く、中央補償領域Ｃ１の両側部に位置する漸進的補償領域(Gradient compensating region)ＳＧ１，ＳＧ２のそれぞれで漸次低くなる。
【００３２】
下の表１には、２０．１インチワイドモデルのサンプル別レンズ線むらの実際位置座標を示す。表１のレンズ縦線１乃至８は、むらの位置及び大きさなどによって実験からあらかじめ設定されたサンプルである。
【００３３】
表１
[サンプル]  [重畳部分]→  B1        B2        B3          B4
↓
レンズ縦線１                              (974,992)
レンズ縦線２          (216,242)
レンズ縦線３                                          (1426,1456)
レンズ縦線４                              (1144,1170)
レンズ縦線５                              (974,1012)
レンズ縦線６                    (608,634)
レンズ縦線７                    (622,644)
レンズ縦線８          (378,414)
【００３４】
表１を参照すると、２０．１インチワイドモデルにおいて、第１重畳部分Ｂ１にはレンズ縦線２及び８がそれぞれ(２１６，２４２)及び(３７８，４１４)で現れ、第２重畳部分Ｂ２にはレンズ縦線６及び７がそれぞれ(６０８，６３４)及び(６２２，６４４)で現れる。また、第３重畳部分Ｂ３にはレンズ縦線１、４及び５がそれぞれ(９７４，９９２)、(１１４４，１１７０)及び(９７４，１０１２)で現れ、第４重畳部分Ｂ４にはレンズ縦線３が(１４２６，１４５６)で現れる。
【００３５】
このような表示欠陥は、上記の縦線形態だけではなく、表示パネルの大きさ、解像度などのパネル特性によって横線形態で現れることもある。本発明の一実施の形態では、表示パネルの固有識別情報ＩＤを用いて、表示欠陥が縦方向に現れるかまたは横方向に現れるかを表すむらの方向性情報と、基準階調値で中央補償領域の不良水準によって独立的に補償値が与えられるように分割される階調領域情報を自動で設定する。
【００３６】
図４は、縦線欠陥の輝度差と該縦線欠陥に与えられる補償値の一例を示す。
【００３７】
図４を参照すると、縦線欠陥の輝度は、縦線欠陥の幅方向(ｘ軸方向)において中央部に存在する中央補償領域Ｃ１が最も低く、該中央補償領域Ｃ１の両外側部に行くほど輝度が次第に高くなる。このような縦線欠陥の輝度を補償するために縦線欠陥に与えられる補償値は、中央補償領域Ｃ１で最も高く、中央補償領域Ｃ１の両側部に位置する漸進的補償領域ＳＧ１，ＳＧ２のそれぞれにおいて外側に行くほど次第に低くなる。
【００３８】
中央補償領域Ｃ１は、正常表示面の輝度と重ならないために最も暗く見え、縦線欠陥内で最も高い補償値ａ１が適用される。中央補償領域Ｃ１の補償値ａ１は、中央補償領域Ｃ１の輝度及び正常表示面間の輝度差が、輝度測定装備や肉眼で感じられた中央補償領域Ｃ１の輝度及び正常表示面間の主観的輝度差に基づき、肉眼で感じられないようにする値に決定される。
【００３９】
漸進的補償領域ＳＧ１，ＳＧ２は、中央補償領域Ｃ１の輝度と正常表示面の輝度とが重なる領域で、縦線欠陥内で中央補償領域の左側ＳＧ１と右側ＳＧ２に位置し、中央補償領域Ｃ１に近接するほど中央補償領域Ｃ１の輝度に近い輝度を見せ、また、正常表示面の非重畳面へ行くほど正常表示面の輝度に近い輝度を見せる。すなわち、漸進的補償領域ＳＧ１，ＳＧ２は、中央補償領域Ｃ１に近付くほど暗くなり、正常表示面の非重畳面に近付くほど明るくなる。漸進的補償領域ＳＧ１，ＳＧ２は、複数の区間に分けられる。ここで、各区間の幅は、漸進的補償領域ＳＧ１，ＳＧ２の幅方向長さ(ｘ)を画素数に換算し、その換算長さを４の倍数で分けた幅と定義される。このような漸進的補償領域ＳＧ１，ＳＧ２で、補償値ｂ１〜ｅ１、ｂ１’〜ｅ１’は、中央補償領域Ｃ１に近付く区間から正常表示面の非重畳面に近付く区間へ行くほど次第に小さい値として自動決定される。言い換えると、漸進的補償領域ＳＧ１，ＳＧ２の各区間に適用される補償値ｂ１〜ｅ１、ｂ１’〜ｅ１’は、中央補償領域Ｃ１の補償値ａ１が決定されると、該補償値ａ１と’０’との間で自動的に決定され、完全な左右対称をなす。漸進的補償領域ＳＧ１，ＳＧ２の区間数は、中央補償領域Ｃ１の補償値ａ１が高いほど多くなり、中央補償領域Ｃ１の補償値ａ１が低いほど少なくなる。中央補償領域Ｃ１及び漸進的補償領域ＳＧ１，ＳＧ２の細部領域設定方法については、図７を参照して詳細に後述する。
【００４０】
図５には、横線欠陥の輝度差と該横線欠陥に与えられる補償値の一例を示す。
【００４１】
図５を参照すると、横線欠陥の輝度は、横線欠陥の幅方向(ｙ軸方向)において中央部に存在する中央補償領域Ｃ１の輝度が最も低く、該中央補償領域Ｃ１の両側部に行くほど輝度が次第に高くなる。このような横線欠陥の輝度を補償するために横線欠陥に与えられる補償値は、中央補償領域Ｃ１で最も高く、中央補償領域Ｃ１の両側部に位置する漸進的補償領域ＳＧ１，ＳＧ２のそれぞれにおいて外側に行くほど次第に低くなる。
【００４２】
中央補償領域Ｃ１は正常表示面の輝度と重ならないために最も暗く見え、横線欠陥内で最も高い補償値ａ１が適用される。中央補償領域Ｃ１の補償値ａ１は、中央補償領域Ｃ１の輝度と正常表示面間の輝度差が、輝度測定装備や肉眼で感じられる中央補償領域Ｃ１の輝度と正常表示面間の主観的輝度差に基づき、肉眼で感じられないようにする値と決定される。
【００４３】
漸進的補償領域ＳＧ１，ＳＧ２は、中央補償領域Ｃ１の輝度と正常表示面の輝度とが重なる領域で、横線欠陥内において中央補償領域の左側ＳＧ１と右側ＳＧ２に位置し、中央補償領域Ｃ１に近付くほど中央補償領域Ｃ１の輝度に近い輝度を見せ、また、正常表示面の非重畳面に近付くほど正常表示面の輝度と近い輝度を見せる。すなわち、漸進的補償領域ＳＧ１，ＳＧ２は、中央補償領域Ｃ１に近付くほど暗く見え、正常表示面の非重畳面に近付くほど明るく見える。漸進的補償領域ＳＧ１，ＳＧ２は、複数の区間に分けられる。ここで、各区間の幅は漸進的補償領域ＳＧ１，ＳＧ２の幅方向長さ(ｙ)を画素数に換算し、該換算長さを４の倍数で分けた幅と定義される。このような漸進的補償領域ＳＧ１，ＳＧ２で、補償値ｂ１〜ｅ１、ｂ１’〜ｅ１’は、中央補償領域Ｃ１に近接する区間から正常表示面の非重畳面に近接する区間へ行くほど次第に小さい値に自動決定される。言い換えると、漸進的補償領域ＳＧ１，ＳＧ２の各区間に適用される補償値ｂ１〜ｅ１、ｂ１’〜ｅ１’は、中央補償領域Ｃ１の補償値ａ１が決定されると、該補償値ａ１との’０’間で自動的に決定され、完全な左右対称をなす。漸進的補償領域ＳＧ１，ＳＧ２の区間数は、中央補償領域Ｃ１の補償値ａ１が高いほど多くなり、中央補償領域Ｃ１の補償値ａ１が低いほど少なくなる。中央補償領域Ｃ１及び漸進的補償領域ＳＧ１，ＳＧ２の細部領域設定方法については、図７を参照して詳細に後述する。
【００４４】
前述の縦線欠陥及び横線欠陥の補償値は、表示パネルに供給されるデータ電圧のガンマ特性と肉眼で感じられる輝度及び色度の視認性を考慮して階調単位に別々に最適化される。データ電圧のガンマ特性と肉眼で感じられる輝度及び色度の視認性は、パネル特性によって異なる。
【００４５】
図６は、階調単位に最適化された補償値と、該補償値に対応するデータ駆動回路から出力されるデータ電圧の一例を示すグラフである。
【００４６】
図６を参照すると、本発明は、全体階調を上位、中位及び下位の３階調区間に分割し、各階調区間単位に補償値を最適化する。表示パネルで表現できる最高輝度、すなわち、ピークホワイトの輝度を１００％とする時、本発明は、上位階調区間をピークホワイトの約５５％〜１００％輝度の階調区間、中位階調区間をピークホワイトの約２０％〜５５％輝度の階調区間、下位階調区間をピークホワイトの約２０％以下の階調区間とし、全体階調を３つの区間に分割する。例えば、１ピクセルのデジタルビデオデータがＲ、Ｇ、Ｂそれぞれ８ビットで構成され、２５６階調を表現する時、本発明は、約’１４０’以上の上位階調で上位階調区間を、’５１〜１４０’の中位階調で中位階調区間を、約’５０’以下の下位階調で下位階調区間を設定する。
【００４７】
上位階調区間では、正常表示面と表示欠陥との輝度差に対する有意差が中位階調区間に対する有意差に比べて視覚的に少なく感じられる。有意差とは、視覚的に輝度及び色感差が感じられるような臨界値のことをいう。上位階調区間内で階調間の有意差は小さい。このことから、上位階調は、広い階調範囲を含む。上位階調区間のうち、２５１以上の階調範囲は補償値に制限があり、その補償値を与えても視覚的に輝度及び色感差がほとんど感じられないので補償値を与える必要がない。補償値は、輝度及び色感の逆転が発生しないように中位階調区間に比べて上位階調区間でより高くならねばならない。
【００４８】
中位階調区間では有意差が上位階調区間に比べて大きく感じられるが、上位階調区間の補償値よりも低い補償値が与えられる。この中位階調区間は、それぞれ異なる補償値が与えられる複数の小区間に分けられる。中位階調区間のうち、第１小区間は階調’５１〜８０’を、第２小区間は階調’８１〜１１０’を、第３小区間は階調’１１１〜１４０’をそれぞれ含む。これらの小区間は、中位階調区間で階調同士間の輝度変化が線形的であるから等間隔に分けられることができる。
【００４９】
下位階調区間は、階調同士間の輝度変化に対応した勾配が急なため、上位階調区間と中位階調区間の小区間に比べて分割すべき小区間の階調範囲が狭い。下位階調区間のうち、第１小区間は階調’３０〜３９’を含み、第２小区間は階調’４０〜５０’を含む。階調値’３０’以下の最下位階調、すなわち、ピークホワイト輝度の約１２％以下の最低階調では、中位階調で表示欠陥が見える程度によって補償値が与えられる必要がない。例えば、階調値’１２７’を基準に表示欠陥が強く見えると、階調値’３０’以下の最下位階調においても表示欠陥が見え得る。したがって、階調値’１２７’を基準に表示欠陥が強く見えると、階調値’３０’以下の最下位階調にも補償値が与えられる。これに対し、階調値’１２７’を基準に表示欠陥が弱く見えると、階調値’３０’以下では表示欠陥がほとんど見えないので、この場合には、階調値’３０’以下の最下位階調に補償値が与えられる必要がない。
【００５０】
補償値は、基準階調値’１２７’で中央補償領域Ｃ１の不良水準によって各階調区間に独立的に与えられる。中央補償領域Ｃ１の補償値は、基準階調値’１２７’を含む基準階調区間’１１１〜１４０’を基準に、それより高い最上位階調区間で’１／８’階調さらに高い値に設定され、基準階調区間’１１１〜１４０’よりも低い下位階調区間で’１／８’または’２／８’階調間隔に段階的に低い値に設定される。中央補償領域Ｃ１の不良水準が高いために該中央補償領域Ｃ１の補償値が１／８階調に設定されると、本発明は、補償値の与えられる新しい最下位階調区間“２０〜２９”を追加し、この最下位階調区間で中央補償領域Ｃ１の補償値として’１／８’階調を設定する。中央補償領域Ｃ１の不良水準がより高くなり、該中央補償領域Ｃ１の補償値が９／８階調に設定されると、本発明は、補償値の与えられる新しい最下位階調区間“２０〜２９”と“１０〜１９”を追加し、この最下位階調区間において中央補償領域Ｃ１の補償値として階調区間“２０〜２９”で’２／８’階調を、階調区間“１０〜１９”で’１／８’階調をそれぞれ設定する。
【００５１】
漸進的補償領域ＳＧ１，ＳＧ２の区間に与えられる補償値ｂ１〜ｅ１、ｂ１’〜ｅ１’は、各階調区間において中央補償領域Ｃ１の補償値と’０’との間で段階的な差を持つ値に設定され、中央補償領域Ｃ１の左／右側で完全な対称をなす。
【００５２】
図７は、中央補償領域Ｃ１及び漸進的補償領域ＳＧ１，ＳＧ２に対する細部領域設定方法の一例を示す。
【００５３】
図７を参照すると、線欠陥の補償値を決定するために、中央補償領域Ｃ１と漸進的補償領域ＳＧ１，ＳＧ２の区間を設定する基準は、入力される表示欠陥の基準位置座標値Ｐ１〜Ｐ８となる。基準位置座標値Ｐ１〜Ｐ８は、表示欠陥が縦線形態のむらであればｘ座標となり、横線形態のむらであればｙ座標となる。例えば、図３に示すようにレンズアセンブリ１０の第１重畳部分Ｂ１で縦線欠陥が現れると、本発明は、入力されるｘ座標であるＰ１を基準に、漸進的補償領域ＳＧ１内で右側に１個の区間、左側に３個の区間を自動で設定する。また、これと対称的に入力されるｘ座標であるＰ２を基準に、漸進的補償領域ＳＧ２内で左側に１個の区間、右側に３個の区間を自動で設定する。それぞれの区間は始点ｓと終点ｅを有し、これら区間のそれぞれの幅は、漸進的補償領域ＳＧ１，ＳＧ２の幅方向長さを画素数に換算し、この換算された長さを４の倍数で分けた幅と定義される。漸進的補償領域ＳＧ１，ＳＧ２の幅方向長さは均等に設定されるので、漸進的補償領域ＳＧ１内における各区間の幅は同一である。
【００５４】
このような方法により、レンズアセンブリ１０の第２乃至第４重畳部分Ｂ２〜Ｂ４で縦線欠陥が現れると、本発明は、入力されるｘ座標Ｐ３、Ｐ５、Ｐ７を基準に、漸進的補償領域ＳＧ１内でそれぞれ右側に１個の区間、左側に３個の区間を自動で設定する。また、これと対称的に入力されるｘ座標Ｐ４、Ｐ６、Ｐ８を基準に、漸進的補償領域ＳＧ２内でそれぞれ左側に１個の区間、右側に３個の区間を自動で設定する。
【００５５】
前述したように、表示欠陥を階調領域、位置領域に分けてむら水準によって独立的で且つ差別的に補償するために、本発明は、階調別、位置別及び水準別補償値を実験によってあらかじめ設定しておく。そして、入力されるむら水準によって最適の補償値が自動で選択されるようにする方式で補償値を決定する。補償値は、正常表示面の輝度に比べて低い輝度に見える表示欠陥を補償するための補償値で、表示欠陥に表示されるデジタルビデオデータに加算される。
【００５６】
一方、表示欠陥は、前述した縦線欠陥及び横線欠陥の他に、面欠陥及び面／色混合欠陥も含む。なお、以上では縦線欠陥及び横線欠陥において正常表示面よりも暗く見える欠陥を中心にして表示欠陥について説明してきたが、正常表示面よりも明るく見える表示欠陥も含む。このように明るく見える表示欠陥の輝度を補償するための補償値は、前述した実施の形態における線欠陥の補償値のように、表示欠陥の不良水準によって、且つ、基準階調区間と中央補償領域を基準に正常表示面と表示欠陥との輝度差を低減するように決定され、明るく見える表示欠陥に表示されるデジタルビデオデータから減算される。
【００５７】
これらの補償値は、整数＋１未満の小数に決定されることができ、整数値の補償値は、一般のビット加算器または減算器を用いてデジタルビデオデータと加減され、小数値の補償値は、ディザパターン(Dither pattern)を用いたフレームレートコントロール(Frame rate control；以下、“ＦＲＣ”という。)方法でデジタルビデオデータと加減される。
【００５８】
図８は、本発明の一実施の形態による平板表示装置の表示欠陥補償方法及び装置に係わる平板表示装置の製造方法を段階的に示すフローチャートである。図９は、図８の製造方法で用いられる表示欠陥の分析及び補償値決めシステムを示す。
【００５９】
図８及び図９を参照すると、本発明に係わる平板表示装置の製造方法は、上板及び下板をそれぞれ作成した後に、上板と下板をシール材(Sealant)やフリットガラス(Frit glass)で合着する(ステップＳ１、Ｓ２、Ｓ３)。上板と下板は、表示パネル４０によって様々な形態で作成することができる。例えば、液晶表示パネルでは、上板にはカラーフィルタ、ブラックマトリクス、共通電極、上部配向膜などが形成されることができ、下板にはデータライン、ゲートライン、ＴＦＴ、画素電極、下部配向膜、コラムスペーサなどが形成されることができる。プラズマディスプレイパネルでは、下板にはアドレス電極、下部誘電体、隔壁、蛍光体などが形成されることができ、上板には上部誘電体、ＭｇＯ保護膜、維持電極対が形成されることができる。
【００６０】
平板表示装置の検査工程で、各階調のテストデータを平板表示パネル４０に印加して各階調別にテストデータを表示し、このテストデータの表示状態に対して図９に示すような感知装置４２を用いた電気的な検査及び／または肉眼検査を行い、表示面全体の輝度及び色度を測定する(ステップＳ４)。検査工程で平板表示装置に表示欠陥が発見されると(ステップＳ５)、バーコートリーダ(Barcode Reader)などを用いて表示パネルに形成されたバーコードタイプのモデル識別情報ＩＤを読み、該表示パネルの表示欠陥(むら)の方向性データと階調領域データを自動で生成する(ステップＳ６、Ｓ７)。モデル識別情報ＩＤには、表示パネルの大きさ、解像度、セルピッチなどが含まれる。むらの方向性データは、むらが表示パネルにおいて縦方向に現れるか、横方向に現れるかに関する情報を表す。縦方向のむらは、ステッチむら、縦ディム(Ｄｉｍ)、縦縞などを含み、横方向のむらは、横ディム、横縞などを含む。階調領域データは、０〜２５５階調領域をどのように分けて差別補償をしたかに対する情報を表す。
【００６１】
本発明は、表示欠陥内の各ピクセルを表す位置データを、図７のように、入力される基準座標値によって自動で決定し、入力されるむらの水準情報によって表示欠陥の輝度を補償するための補償値を各階調別に決定及び記憶する(ステップＳ８、Ｓ９、Ｓ１０)。むらの水準情報とは、表示欠陥と正常表示面との輝度差を表す情報のことをいう。入力されるむらの水準情報によって表示欠陥の中央補償領域への補償値が決定されると、漸進的補償領域の各区間に与えられる補償値は、中央補償領域の補償値と’０’との間で自動決定される。漸進的補償領域も中央補償領域と同様に、各階調別に最適化されなければならない。決定された表示欠陥の各ピクセル別位置を表す位置データ及び表示欠陥の補償値は、ユーザーコネクタ(User connector)とＲＯＭ記録器(ROM writer)を介してメモリに記憶される。
【００６２】
表示欠陥の各ピクセルに表示されるテストデータとメモリに記憶しておいた補償値とを加減し、表示欠陥が見えるか否かを判断する(ステップＳ１１)。表示欠陥が依然として見えると、記憶された補償データを削除し(ステップＳ１２)、上記のステップＳ８に戻る。一方、表示欠陥が見えないと、その時の補償値を最適化された補償値として決定する。
【００６３】
続いて、補償する他の表示欠陥があるか判断し(ステップＳ１３)、補償する他の表示欠陥が存在すると、ステップＳ８に戻る。
【００６４】
一方、上記のステップＳ５で表示面全体にわたって表示欠陥が見えないと、当該平板表示装置は良品として出荷される(ステップＳ１４)。
【００６５】
上記のステップＳ７乃至Ｓ１３は、図９に示すようなプログラム実行器４６で実行される補償プログラムで具現されることができる。この補償プログラムは、上述の如く、入力される表示パネルの識別情報ＩＤ、表示欠陥の基準座標値及び水準を用いて表示欠陥の位置データと表示欠陥の各階調別補償値を自動で決定する。
【００６６】
表示欠陥の分析及び補償値決めシステムは、図９に示すように、平板表示パネル４０の輝度と色度を感知する感知装置４２、平板表示パネル４０にデータを供給し、感知装置４２の出力信号から平板表示パネル４０の輝度と色度を分析するコンピュータ４４、コンピュータ４４より入力される表示パネルの識別情報及び表示欠陥情報に基づいて補償プログラムを実行するプログラム実行器４６、及び、補償プログラム実行により決定された表示欠陥の位置データと補償値が記憶されるメモリ４８を備える。
【００６７】
感知装置４２は、カメラ及び／または光センサーを備え、平板表示パネル４０に表示されたテスト画像の輝度及び色度を感知して電圧または電流を発生した後、この電圧または電流をデジタル感知データに変換してコンピュータ４４に供給する。
【００６８】
コンピュータ４４は、各階調別にテストデータを平板表示パネルの駆動回路に供給し、感知装置４２から入力されるデジタル感知データによって各階調別に表示パネル４０の全表示面に対してテスト画像の輝度及び色度を判定する。このコンピュータ４４は、表示パネル４０から感知装備４２によって表示欠陥が感知されるか、または、管理者による主観的な評価によってパネル識別情報と表示欠陥情報が入力されると、プログラム実行器４６を動作させる。なお、コンピュータ４４は、表示欠陥の輝度及び色度変化を観察し、その結果、表示欠陥の輝度と正常表示面の輝度があらかじめ設定された臨界値以下と判定されると、その時の補償値を最適化された補償値として位置データと一緒にメモリ４６に記憶させる。ここで、臨界値は、同一階調で肉眼で見たとき、線欠陥と正常表示面の輝度差が見えない、実験的に決定された値である。
【００６９】
プログラム実行器４６は、管理者により入力されるパネル識別情報と表示欠陥情報を用いて補償プログラムを実行させ、表示欠陥の位置データと表示欠陥の各階調別補償値を自動で決定する。このプログラム実行器４６は、表示パネル４０の駆動回路に備えられることができる。
【００７０】
メモリ４８は、コンピュータ４４の制御により表示欠陥の位置データと各階調別補償値を記憶し、これらは表示パネル４０の駆動回路に付加される。
【００７１】
図１０は、前述した補償値のうち、’１’未満の微細補償値を表現するＦＲＣのディザパターン例を示す。
【００７２】
図１０を参照すると、ＦＲＣは、８ピクセル×８ピクセルの大きさを持ち、補償値によって’１’が加算されるピクセルの個数が異なるように設定され、１未満の小数階調に該当する補償値を表現する１／８ディザパターン乃至８／７ディザパターンを利用する。
【００７３】
１／８ディザパターンは、６４個のピクセルのうち、’１’が加算される８個のピクセルを設定し、１／８(＝０．１２５)階調に該当する補償値を表現し、２／８ディザパターンは、６４個のピクセルのうち’１’が加算される１６個のピクセルを設定し、２／８(＝０．２５０)階調に該当する補償値を表現し、３／８ディザパターンは、６４個のピクセルのうち’１’が加算される２４個のピクセルを設定し、３／８(＝０．３７５)階調に該当する補償値を表現する。４／８ディザパターンは、６４個のピクセルらのうち’１’が加算される３２個のピクセルを設定し、４／８(＝０．５００)階調に該当する補償値を表現し、５／８ディザパターンは、６４個のピクセルのうち’１’が加算される４０個のピクセルを設定し、５／８(＝０．６２５)階調に該当する補償値を表現し、６／８ディザパターンは、６４個のピクセルのうち’１’が加算される４８個のピクセルを設定し、６／８(＝０．７５０)階調に該当する補償値を表現する。そして、７／８ディザパターンは、６４個のピクセルのうち’１’が加算される５６個のピクセルを設定し、７／８(＝０．８７５)階調に該当する補償値を表現する。このようなディザパターンのそれぞれは、フレーム期間ごとに’１’が加算されるピクセルの位置を変更する。
【００７４】
図１１は、本発明の一実施の形態による平板表示装置の表示欠陥補償方法及び装置に係わる平板表示装置を示す図である。この平板表示装置を液晶表示装置として説明する。
【００７５】
図１１を参照すると、本発明の平板表示装置は、データライン１０６とゲートライン１０８とが交差し、該交差部に液晶セルＣｌｃを駆動するためのＴＦＴが形成された表示パネル１０３、あらかじめ記憶しておいた補償値を用いて表示欠陥に表示されるデジタルビデオデータＲｉ／Ｇｉ／Ｂｉを変調する補償回路１０５、データライン１０６に変調されたデータＲｃ／Ｇｃ／Ｂｃを供給するデータ駆動回路１０１、ゲートライン１０８にスキャン信号を供給するゲート駆動回路１０２、及び、駆動回路１０１，１０２を制御するタイミングコントローラ１０４を備える。
【００７６】
液晶表示パネル１０３は、２枚の基板(ＴＦＴ基板、カラーフィルタ基板)の間に液晶分子が注入されてなる。ＴＦＴ基板上に形成されたデータライン１０６とゲートライン１０８は相互に直交する。データライン１０６とゲートライン１０８との交差部に形成されたＴＦＴは、ゲートライン１０８からのスキャン信号に応答してデータライン１０６を経由して供給されるデータ電圧を液晶セルＣｌｃのピクセル電極に供給する。カラーフィルタ基板には、図示せぬブラックマトリクス、カラーフィルタなどが形成される。共通電圧Ｖｃｏｍが供給される共通電極は、ＩＰＳ(In-plain Switching)モードやＦＦＳ(Fringe Field Switching)モードなどでＴＦＴ基板上に形成され、ＴＮ(Twisted Nematic)モード、ＯＣＢ(optically compensated bent)モード、ＶＡ(Vertically Alignment)モードなどでカラーフィルタ基板上に形成される。このようなＴＦＴ基板とカラーフィルタ基板には、互いに垂直な光吸収軸を持つ偏光板がそれぞれ取り付けられる。
【００７７】
補償回路１０５は、システムインターフェース(System Interface)から入力データＲｉ／Ｇｉ／Ｂｉを受信し、表示欠陥の各ピクセルに表示されるデジタルビデオデータＲｉ／Ｇｉ／Ｂｉにあらかじめ記憶しておいた補償値を加算／減算し、増加／減少するように調整されたデジタルビデオデータＲｃ／Ｇｃ／Ｂｃと基準面に表示される未変調データＲｉ／Ｇｉ／Ｂｉを出力する。
【００７８】
タイミングコントローラ１０４は、補償回路１０５からのデジタルビデオデータＲｃ／Ｇｃ／Ｂｃ、Ｒｉ／Ｇｉ／ＢｉをドットクロックＤＣＬＫに同期してデータ駆動回路１０１に供給するとともに、垂直／水平同期信号Ｖｓｙｎｃ、Ｈｓｙｎｃ、データイネーブル信号ＤＥ及びドットクロックＤＣＬＫを用いてゲート駆動回路１０２を制御するためのゲート制御信号ＧＤＣ、データ駆動回路１０１を制御するためのデータ制御信号ＤＤＣを発生する。このような補償回路１０５とタイミングコントローラ１０４は一つのチップに集積可能である。
【００７９】
データ駆動回路１０１は、タイミングコントローラ１０４から供給されるデジタルビデオデータＲｃ／Ｇｃ／Ｂｃ、Ｒｉ／Ｇｉ／Ｂｉをアナログガンマ補償電圧に変換し、該アナログガンマ補償電圧をデータ電圧としてデータライン１０６に供給する。
【００８０】
ゲート駆動回路１０２は、データ電圧が供給される水平ラインを選択するスキャン信号をゲートライン１０８に順次、供給する。
【００８１】
図１２は、同補償回路１０５の詳細図である。
【００８２】
図１２を参照すると、本発明の一実施の形態による補償回路１０５は、ＦＲＣ制御部１１１、ＥＥＰＲＯＭ１１２、レジスタ１１３及びインターフェース回路１１４を備える。
【００８３】
ＦＲＣ制御部１１１は、インターフェース回路１１４から入力される表示パネル識別情報ＩＤと表示欠陥情報ＭＬを用いて図８の補償プログラムを実行させ、表示欠陥の位置情報ＰＤと階調別補償値ＣＤを決定し、これらをＥＥＰＲＯＭ１１２に保存する。そして、ＦＲＣ制御部１１１は、垂直及び水平同期信号Ｖｓｙｎｃ、Ｈｓｙｎｃ、データインイネーブル信号ＤＥ、ドットクロックＤＣＬＫによってデジタルビデオデータＲｉ、Ｂｉ、Ｇｉの表示位置を判断し、この位置判断結果とＥＥＰＲＯＭ１１２からの位置情報ＰＤとを比較し、表示欠陥に表示されるデジタルビデオデータＲｉ／Ｂｉ／Ｇｉを検出する。ＦＲＣ制御部１１１は、表示欠陥に表示されるデジタルビデオデータＲｉ、Ｂｉ、ＧｉをリードアドレスＡＤとしてＥＥＰＲＯＭ１１２に供給し、このリードアドレスＡＤに応答してＥＥＰＲＯＭ１１２から出力された階調別補償値ＣＤを、表示欠陥に表示されるデジタルビデオデータＲｉ／Ｂｉ／Ｇｉと加算及び減算する。ここで、ＦＲＣ制御部１１１は、図７に示すように、あらかじめ決定されたディザパターンによって補償値を時間的及び空間的に分散させ、ディザパターン単位に１階調未満の補償値をデジタルビデオデータＲｉ／Ｂｉ／Ｇｉと加減し、１階調以上の整数補償値を各ピクセル単位にデジタルビデオデータと加減する。
【００８４】
ＥＥＰＲＯＭ１１２は、表示欠陥の各ピクセルを表す位置データＰＤと補償値ＣＤをルックアップテーブルの形態で記憶したメモリである。このＥＥＰＲＯＭ１１２に記憶された位置データＰＤと補償値ＣＤは、インターフェース回路１１４を介して外部コンピュータ４４から印加される電気的信号により更新されることができる。
【００８５】
インターフェース回路１１４は、補償回路１０５と外部システム間の通信のための構成で、Ｉ２Ｃなどの通信標準プロトコル規格に合わせて設計される。ＥＥＰＲＯＭ１１２に記憶された位置データＰＤと補償値ＣＤは、工程変化、適用モデル間の相違などの理由により更新が要求され、使用者は、更新しようとする使用者位置データＵＰＤと使用者補償値ＵＣＤを外部システムを介して入力する。コンピュータ４４は、上記のような要求がある時、インターフェース回路１１４を介してＥＥＰＲＯＭ１１２に記憶されているデータを読み込んだり修正したりすることができる。
【００８６】
レジスタ１１３には、ＥＥＰＲＯＭ１１２に記憶されている位置データＰＤ及び補償データＣＤを更新するためにインターフェース回路１１４を介して転送される使用者データＵＰＤ、ＵＣＤが臨時保存される。
【００８７】
このような液晶表示装置は、他の平板表示装置にも大きな変更なしに適用されることができる。例えば、液晶表示パネル１０３は、電界放出表示素子、プラズマディスプレイパネル及び有機発光ダイオード表示素子などに取って代わることができる。
【００８８】
以上説明してきた内容から本発明の技術思想を逸脱しない範囲で様々な変更及び修正が可能であるということが、当該技術分野における当業者にとっては明らかである。したがって、本発明の技術的範囲は、明細書の詳細な説明に記載された内容に限定されるのではなく、特許請求の範囲によって定められなければならない。
【図面の簡単な説明】
【００８９】
【図１】縦線欠陥が現れる場合を示す図である。
【図２】横線欠陥が現れる場合を示す図である。
【図３】２０．１インチのワイドモデルのレンズ線むらの発生を示す図である。
【図４】縦線欠陥の輝度差とその縦線欠陥に与えられる補償値の一例を示す図である。
【図５】横線欠陥の輝度差とその横線欠陥に与えられる補償値の一例を示す図である。
【図６】階調単位に最適化された補償値と、該補償値に対応するデータ駆動回路から出力されるデータ電圧の一例を示す図である。
【図７】中央補償領域及び漸進的補償領域に対する細部領域設定方法の一例を示す図である。
【図８】本発明の一実施の形態による平板表示装置の表示欠陥補償方法及び装置に係わる平板表示装置の製造方法を段階的に示すフローチャートである。
【図９】図８の製造方法で用いられる表示欠陥の分析及び補償値決めシステムを示す図である。
【図１０】前述した補償値のうち、’１’未満の微細補償値を表現するＦＲＣのディザパターン例を示す図である。
【図１１】本発明の一実施の形態による平板表示装置の表示欠陥補償方法及び装置に係わる平板表示装置を示すブロック図である。
【図１２】図１１の補償回路を詳細に示すブロック図である。
【符号の説明】
【００９０】
４０  平板表示パネル、４２  感知装置、４４  コンピュータ、４６  プログラム実行器、４８  メモリ、１０１  データ駆動回路、１０２  ゲート駆動回路、１０４  タイミングコントローラ、１０３  液晶表示パネル、１０５  補償回路、１１１  ＦＲＣ制御部、１１２  ＥＥＰＲＯＭ、１１３  レジスタ、１１４  インターフェース回路。
【図１】
2008257186.tif 000003
【図２】
2008257186.tif 000004
【図３】
2008257186.tif 000005
【図４】
2008257186.tif 000006
【図５】
2008257186.tif 000007
【図６】
2008257186.tif 000008
【図７】
2008257186.tif 000009
【図８】
2008257186.tif 000010
【図９】
2008257186.tif 000011
【図１０】
2008257186.tif 000012
【図１１】
2008257186.tif 000013
【図１２】
2008257186.tif 000014